(57)【要約】【課題】衝撃パターンを認識してユーザ認証を行い、診断モードを変更する超音波システム及び方法を提供する。【解決手段】本発明による、複数の診断モードで駆動する超音波システムは、ユーザから前記超音波システムに加えられる衝撃を感知して衝撃パターン情報を形成するように動作する衝撃感知部と、前記衝撃パターン情報に基づいて前記超音波システムの駆動を制御するように動作する制御部を備える。【選択図】図１
2010000355.tif 000002
【特許請求の範囲】
【請求項１】
複数の診断モードで駆動する超音波システムであって、
ユーザから前記超音波システムに加えられる衝撃を感知して衝撃パターン情報を形成するように動作する衝撃感知部と、
前記衝撃パターン情報に基づいて前記超音波システムの駆動を制御するように動作する制御部と
を備えることを特徴とする超音波システム。
【請求項２】
対象体から反射された超音波信号を用いて超音波映像を形成するように動作する超音波診断部をさらに含み、前記ユーザからの前記衝撃は前記超音波診断部に加えられることを特徴とする請求項１に記載の超音波システム。
【請求項３】
ユーザ認証衝撃パターン情報と予め設定された複数の衝撃パターン情報に該当する診断モードを提供するマッピングテーブルを格納する格納部をさらに備えることを特徴とする請求項２に記載の超音波システム。
【請求項４】
前記制御部は、前記超音波診断部の駆動時に前記衝撃感知部から前記衝撃パターン情報が入力されると、前記衝撃パターン情報と前記格納部に格納されたユーザ認証衝撃パターン情報に基づいてユーザ認証を行い、認証結果に応じて前記超音波診断部の駆動を制御するように動作することを特徴とする請求項３に記載の超音波システム。
【請求項５】
前記制御部は、前記超音波診断部の駆動後に前記衝撃感知部から前記衝撃パターン情報が入力されると、前記マッピングテーブルを照会して前記衝撃パターン情報に対応する診断モードを検出し、前記検出された診断モードに該当する超音波映像の形成を制御するように動作することを特徴とする請求項４に記載の超音波システム。
【請求項６】
前記衝撃パターン情報は、衝撃回数、衝撃間の間隔及び衝撃音の大きさのうちのいずれか一つを備えることを特徴とする請求項１〜５のいずれか一項に記載の超音波システム。
【請求項７】
衝撃感知部は、衝撃センサ、音響センサ及び圧電センサのうちのいずれか一つを備えることを特徴とする請求項１に記載の超音波システム。
【請求項８】
超音波映像を形成する超音波診断部、衝撃感知部、ユーザ認証衝撃パターン情報と複数の衝撃パターン情報に該当する診断モードを提供するマッピングテーブルを格納する格納部及び制御部を備える超音波システムでの衝撃パターン認識方法であって、
ａ）前記衝撃感知部で、ユーザから前記超音波診断部に加えられる衝撃を感知し、第１の衝撃パターン情報を形成する段階と、
ｂ）前記制御部で、前記第１の衝撃パターン情報と前記ユーザ認証衝撃パターン情報を用いて前記ユーザを認証し、前記超音波診断部の駆動を制御する段階と、
ｃ）前記超音波診断部で、前記制御部の制御によって駆動する段階と、
ｄ）前記衝撃感知部で、ユーザから前記超音波診断部に加えられる衝撃を感知して第２の衝撃パターン情報を形成する段階と、
ｅ）前記制御部で、前記第２の衝撃パターン情報と前記マッピングテーブルを用いて前記超音波診断部の診断モードの実行を制御する段階と、
ｆ）前記超音波診断部で、前記制御部の制御によって前記診断モードに該当する超音波映像を形成する段階と
を備えることを特徴とする衝撃パターン認識方法。
【請求項９】
前記段階ｂ）は、
ｂ１）前記衝撃パターン情報と前記ユーザ認証衝撃パターン情報とを比較する段階と、
ｂ２）前記衝撃パターン情報と前記ユーザ認証衝撃パターン情報が一致すれば、前記超音波診断部の駆動を制御する段階と
を備えることを特徴とする請求項８に記載の衝撃パターン認識方法。
【請求項１０】
前記段階ｂ１）は、
前記衝撃パターン情報と前記ユーザ認証衝撃パターン情報が一致しなければ、ユーザ認証暗号の再入力を要請するメッセージを出力する段階
をさらに備える特徴とする請求項９に記載の衝撃パターン認識方法。
【請求項１１】
前記段階ｅ）は、
前記マッピングテーブルを照会して前記衝撃パターン情報に対応する診断モードを検出する段階と、
前記検出された診断モードに該当する超音波映像の形成を制御する段階と
を備えることを特徴とする請求項８に記載の衝撃パターン認識方法。
【請求項１２】
前記衝撃パターンは衝撃回数、衝撃間の間隔及び衝撃音大きさのうちのいずれか一つを備えることを特徴とする請求項８〜１１のいずれか一項に記載の衝撃パターン認識方法。
【発明の詳細な説明】
【技術分野】
【０００１】
本発明は、超音波システムに関し、特に衝撃パターンを認識してユーザ認証を行い、診断モードを変更することができる超音波システム及び方法に関する。
【背景技術】
【０００２】
超音波システムは、被検体の体表から体内の所望部位に向かって超音波信号を照射し、反射された超音波信号（超音波エコー信号）の情報を用いて軟部組織の断層や血流に関する映像を無侵襲で得る装置である。この装置はＸ線診断装置、Ｘ線ＣＴスキャナ（Ｃｏｍｐｕｔｅｒｉｚｅｄ  Ｔｏｍｏｇｒａｐｈｙ  Ｓｃａｎｎｅｒ）、ＭＲＩ（Ｍａｇｎｅｔｉｃ  Ｒｅｓｏｎａｎｃｅ  Ｉｍａｇｅ）、核医学診断装置などの他の画像診断装置と比較すると、小型で低廉であり、リアルタイムで表示することができ、Ｘ線などの被爆がなくて安全性が高い長所を有しており、心臓、腹部、泌尿器及び産婦人科診断のために広く用いられている。
【０００３】
超音波システムは、駆動時に保安を目的としてユーザが暗号を入力してシステムに予め設定されている暗号と一致する場合に限って超音波システムを用いることができるようにする。そして、超音波システムは２Ｄモード、カラードップラーモード、パワードップラーモードなどの超音波診断の基本になる映像を提供する基本モード、少なくとも２つの基本モードを同時に提供する複合モード、同一の基本モードの映像を少なくとも２つ提供する多重映像モード及び３次元の立体映像を提供する３Ｄモードの多様な診断モードを提供する。
【０００４】
従来は、ユーザ暗号入力及び診断モードの変更のために超音波システムに装着されたコントロールパネルまたはタッチスクリーンを通じてユーザの入力を複数回受けなければならなかった。特に、患者の診断時にユーザが片手にプローブをつかんだ状態で、もう片方の手でコントロールパネルまたはタッチスクリーンを操作しなければならなかった。これによって、ユーザは非常に不便な姿勢で患者を診断するようになり、ユーザが不便さを感じるという問題があった。
【先行技術文献】
【特許文献】
【０００５】
【特許文献１】特開２００９−１２５３２２号公報
【発明の概要】
【発明が解決しようとする課題】
【０００６】
本発明は、衝撃パターンを認識してユーザ認証を行い、診断モードを変更する超音波システム及び方法を提供する。
【課題を解決するための手段】
【０００７】
前記の課題を解決するために、本発明による複数の診断モードで駆動する超音波システムは、ユーザから前記超音波システムに加えられる衝撃を感知して衝撃パターン情報を形成するように動作する衝撃感知部と、前記衝撃パターン情報に基づいて前記超音波システムの駆動を制御するように動作する制御部を備える。
【０００８】
本発明による、超音波映像を形成する超音波診断部、衝撃感知部、ユーザ認証衝撃パターン情報と複数の衝撃パターン情報に該当する診断モードを提供するマッピングテーブルを格納する格納部及び制御部を備える超音波システムでの衝撃パターン認識方法は、ａ）前記衝撃感知部で、ユーザから前記超音波診断部に加えられる衝撃を感知し、第１の衝撃パターン情報を形成する段階と、ｂ）前記制御部で、前記第１の衝撃パターン情報と前記ユーザ認証衝撃パターン情報を用いて前記ユーザを認証し、前記超音波診断部の駆動を制御する段階と、ｃ）前記超音波診断部で、前記制御部の制御によって駆動する段階と、ｄ）前記衝撃感知部で、ユーザから前記超音波診断部に加えられる衝撃を感知して第２の衝撃パターン情報を形成する段階と、ｅ）前記制御部で、前記第２の衝撃パターン情報と前記マッピングテーブルを用いて前記超音波診断部の診断モードの実行を制御する段階と、ｆ）前記超音波診断部で、前記制御部の制御によって前記診断モードに該当する超音波映像を形成する段階とを備える。
【発明の効果】
【０００９】
本発明は、複雑な過程を経ず、衝撃パターン認識で簡単にユーザ認証を行い、超音波システムの診断モードを変更することができる。
【図面の簡単な説明】
【００１０】
【図１】本発明の実施例による超音波システムの構成を示すブロック図である。
【図２】本発明の実施例によるユーザ認証暗号として用いられるユーザ認証衝撃パターン情報を示す例示図である。
【図３】本発明の実施例によるマッピングテーブルを示す例示図である。
【発明を実施するための形態】
【００１１】
以下、添付した図面を参照して本発明の実施例を説明する。
【００１２】
図１は本発明の実施例による超音波システム１００の構成を示すブロック図であり、図２は本発明の実施例によるユーザ認証暗号として用いられるユーザ認証衝撃パターン情報を示す例示図であり、図３は本発明の実施例によるマッピングテーブルを示す例示図である。
【００１３】
送受信部１１０は、超音波信号を対象体（図示せず）に送信して対象体から反射される超音波信号を受信して受信信号を形成する。本実施例で送受信部１１０は、超音波信号を送受信するように動作する複数の変換素子が備えられたプローブ（図示せず）を備える。
【００１４】
超音波診断部１２０は、送受信部１１０から提供される受信信号を用いて超音波映像を形成する。本実施例で超音波診断部１２０は、超音波信号の送信集束及び受信集束を行って受信信号を形成するように動作するビームフォーマ（図示せず）、受信信号に信号増幅、ゲイン調節などのような信号処理を行うように動作する信号処理部（図示せず）及び信号処理された受信信号を用いて超音波映像を形成するように動作する超音波映像形成部（図示せず）を備える。
【００１５】
衝撃感知部１３０は、ユーザから超音波診断部１２０に加えられる衝撃を感知して衝撃パターン情報を形成する。本実施例で衝撃パターン情報は、ユーザから加えられる衝撃の回数、音の大きさ、衝撃間の間隔などの情報を含む。衝撃感知部１３０は、ユーザから加えられる衝撃を感知することができる装置ならばどんな装置でも構わない。一例として、衝撃感知部１３０は衝撃センサ、圧電センサ及び音響センサを備える。
【００１６】
第１の格納部１４０は、図２に示した通りユーザ認証暗号として用いられるユーザ認証衝撃パターン情報を格納する。図２では、ユーザ認証のための衝撃パターンが衝撃間の間隔であると説明したが、これに局限されない。
【００１７】
第２の格納部１５０は、予め設定された複数の衝撃パターン情報に該当する診断モードを提供するマッピングテーブルを格納する。本実施例で第２の格納部１５０は、図３に示した通り衝撃回数に対応する診断モードを提供するマッピングテーブル２００を格納する。前述した図３では、 診断モードのための衝撃パターンが衝撃回数であると説明したが、これに局限されない。
【００１８】
制御部１６０は、超音波診断部１２０の駆動時に衝撃感知部１３０から出力される衝撃パターン情報を用いてユーザ認証を行い、超音波診断部１２０の駆動を制御する。本実施例で、制御部１６０は超音波診断部１２０の駆動時に衝撃感知部１３０から衝撃パターン情報が入力されると、第１の格納部１４０に格納されたユーザ認証衝撃パターン情報と一致するかどうかを判断し、入力された衝撃パターン情報と第１の格納部１４０に格納されたユーザ認証衝撃パターン情報とが一致すると、超音波診断部１２０の駆動を制御する。従って、超音波診断部１２０は制御部１６０の制御によって駆動して超音波映像を形成することができる状態になり得る。一方、入力された衝撃パターン情報と第１格納部１４０に格納されたユーザ認証衝撃パターン情報とが一致しないと、ユーザ認証暗号の再入力を要請するメッセージを出力する。
【００１９】
また、制御部１６０は超音波診断部１２０の駆動後に衝撃感知部１３０から提供される衝撃パターン情報を用いて超音波診断部１２０の診断モードの実行を制御する。即ち、制御部１６０は超音波診断部１２０の駆動後に衝撃感知部１３０から衝撃パターン情報が入力されると、第２の格納部１５０に格納されたマッピングテーブルを照会して入力された衝撃パターン情報に対応する診断モードを検出する。制御部１６０は検出された診断モードに該当する超音波映像の形成を制御する。また、制御部１６０は超音波システム１００の各構成要素の動作を制御する。
【００２０】
ディスプレイ部１７０は、超音波診断部１２０で形成された超音波映像をディスプレイする。また、ディスプレイ部１７０は制御部１６０で出力されるメッセージをディスプレイする。
【００２１】
本発明の属する技術分野の当業者は、本発明がその技術的思想や必須の特徴を設定せず、他の具体的な形態で実施し得ることを理解することができる。従って、以上で記述した実施例は全ての面で例示的なものであり、限定的ではないものと理解しなければならない。本発明の範囲は前記詳細な説明よりは後述する特許請求の範囲によって示され、特許請求の範囲の意味及び範囲、そしてその等価概念から導き出される全ての設定または変形された形態が本発明の範囲に含まれると解釈されなければならない。
【００２２】
一例として、前述した実施例では衝撃感知部１３０、第１の格納部１４０、第２の格納部１５０及び制御部１６０を超音波診断部１２０と別途に構成するものと説明したが、他の実施例では超音波診断部１２０内に衝撃感知部１３０、第１の格納部１４０、第２の格納部１５０及び制御部１６０を構成することもできる。
【符号の説明】
【００２３】
１１０  送受信部
１２０  超音波診断部
１３０  衝撃感知部
１４０  第１の格納部
１５０  第２の格納部
１６０  制御部
１７０  ディスプレイ部
【図１】
2010000355.tif 000003
【図２】
2010000355.tif 000004
【図３】
2010000355.tif 000005